(57)【要約】【課題】扉や加熱装置本体に凹凸、突起、貫通孔といった使用の邪魔、且危険になる部材の設置がなく、清掃が容易であり、簡単な構成で製造費が低廉且品質の安定化が図れ、更には扉の閉状態を確実に保つと共に、扉が開状態の場合には必ず回路が開いて電磁波が発生することがない安全なマイクロ波加熱装置を提供する。【解決手段】扉に設置した吸着部材と、マイクロ波加熱装置本体の前面内壁に設置した支持部材に移動可能に支持される可動部と、マイクロ波加熱装置の電源回路を開閉するスイッチを備え、可動部は吸着部材と吸着しあう被吸着部材と、被吸着部材と連結されたスイッチバーと、スイッチバーと支持部材間に設けてスイッチバーをスイッチから離れる方向へ常時付勢する付勢部材を備え、扉閉状態時に吸着部材と被吸着部材が吸着し、スイッチバーを付勢部材の付勢力に抗してスイッチ方向へ移動させてスイッチを押圧することを特徴とするマイクロ波加熱装置。【選択図】    図１
2004232957.tif 000002
【特許請求の範囲】
【請求項１】
扉に設置した吸着部材と、マイクロ波加熱装置本体の前面内壁に設置した支持部材に移動可能に支持される可動部と、マイクロ波加熱装置の電源回路を開閉するスイッチを備え、可動部は吸着部材と吸着しあう被吸着部材と、被吸着部材と連結されたスイッチバーと、スイッチバーと支持部材間に設けてスイッチバーをスイッチから離れる方向へ常時付勢する付勢部材を備え、扉閉状態時に吸着部材と被吸着部材が吸着し、スイッチバーを付勢部材の付勢力に抗してスイッチ方向へ移動させてスイッチを押圧することを特徴とするマイクロ波加熱装置。
【請求項２】
吸着部材と被吸着部材との吸着力は、扉をマイクロ波加熱装置本体にラッチ可能な強度であることを特徴とする請求項１記載のマイクロ波加熱装置。
【請求項３】
吸着部材及び被吸着部材はマグネットであることを特徴とする請求項１又は請求項２記載のマイクロ波加熱装置。
【請求項４】
吸着部材又は被吸着部材のいずれか一方はマグネットであり、他方はマグネットと吸着する磁性体であることを特徴とする請求項１又は請求項２記載のマイクロ波加熱装置。
【請求項５】
スイッチは支持部材に取り付けられ、スイッチバーと被吸着部材間に位置することを特徴とする請求項１乃至請求項４記載のマイクロ波加熱装置。
【発明の詳細な説明】
【０００１】
【発明の属する技術分野】本発明は、マイクロ波加熱装置に関し、特に扉の開閉状態を検知する機能を備えた扉機構及び扉を閉状態に維持するラッチ機能を備えた扉機構を有するマイクロ波加熱装置に関する。
【０００２】
【従来の技術】従来のマイクロ波加熱装置における扉機構は、扉に固定或いは回動自在に取り付けられたアームその他の棒状体等と加熱装置本体に設置され扉の開閉状態を検知して加熱装置の回路を開閉するスイッチを備え、加熱装置本体に孔を設けて、該孔にアーム等を挿通させてアーム等をスイッチに押圧等してスイッチの切り換えを行っていた。又、扉のラッチ機構に関しては扉に固定或いは回動自在に取り付けられた鍵状のキーと加熱装置本体に設置されるラッチフックを備え、加熱装置本体に孔を設けて、該孔に鍵状のキーを挿通させてキーをラッチフックに係合させる構成であった。又、上記の機能を併設させて、アームとキーの機能を合わせてキーをラッチフックに係合させると共にキーによりスイッチの切り換えを行う技術も提案されている（例えば、特許文献１参照。）。
【０００３】
しかし、上記のような構成はその使用に際してキー、アーム等の突出物が邪魔になり、且危険である。又、その清掃に際しては上記のような突出物及び突出物が加熱装置本体内部のラッチフック或いはスイッチと係合、接触或いは押圧するために加熱装置本体に設けられた孔により清掃が困難であり、特に水洗いをする際には孔に水が浸入しないよう細心の注意が必要であった。又、この孔の形成、アーム、キー、ラッチフック及びばね等の部材の組立、設置の工程が煩雑且精密さを要求され、生産費用が嵩むと共に品質の安定化が充分に図れなかった。
【０００４】
そこで、このような問題点を解決するため扉にマグネット（駆動部材）を設置し、加熱装置本体にも可動可能なマグネット（スイッチ作動部材の一部）を設置して扉のラッチ機構とすると共に、扉に設けたマグネットとの吸着力による加熱装置本体に設置されたマグネットの移動により扉の開閉状態を検知して加熱装置の回路を開閉するスイッチの切り換えを行う機構を備えた技術が提案されている（例えば、特許文献２参照。）。
【０００５】
しかし、ここで提案されている構成は、加熱装置本体に設置されたマグネット及び該マグネットに固定されてスイッチと接触する部材はスプリング（偏移部材）の偏移力により扉が開状態の場合には扉の開閉状態を検知して加熱装置の回路を開閉するスイッチの方向へ常時偏移し、スイッチを押圧して回路を開状態にし、扉が閉状態の場合には扉に設けたマグネットと加熱装置本体に設置されたマグネットの吸着力によって加熱装置本体に設置されたマグネットはスプリングの偏移力に抗して前記スイッチから遠ざかる方向へと移動させられて、スイッチの押圧を解除して回路を閉状態にしていた。
【０００６】
しかしこのような構成とした場合には、前記スプリングが破損等して偏移力を失った場合には、扉が開状態の場合であってもスイッチを押圧して回路を開状態にすることができず、制御上は扉が閉状態であるとの認識となり、電磁波が発生して加熱室から外部へ漏洩するという重大な危険性を有していた。
【０００７】
【特許文献１】特開２００１−２７４１６
【特許文献２】特開２００１−３０４５７６
【０００８】
【発明が解決しようとする課題】そこで、扉や加熱装置本体に凹凸、突起、貫通孔といった使用の邪魔、且危険になる部材の設置がなく、清掃が容易であり、簡単な構成で製造費が低廉且品質の安定化が図れ、更には扉の閉状態を確実に保つと共に、扉が開状態の場合には必ず回路が開いて電磁波が発生することがない安全なマイクロ波加熱装置を提供することを目的とする。
【０００９】
【課題を解決するための手段】上記課題を解決するための本発明の第一の手段は、扉に設置した吸着部材と、マイクロ波加熱装置本体の前面内壁に設置した支持部材に移動可能に支持される可動部と、マイクロ波加熱装置の電源回路を開閉するスイッチを備え、可動部は吸着部材と吸着しあう被吸着部材と、被吸着部材と連結されたスイッチバーと、スイッチバーと支持部材間に設けてスイッチバーをスイッチから離れる方向へ常時付勢する付勢部材を備え、扉閉状態時に吸着部材と被吸着部材が吸着し、スイッチバーを付勢部材の付勢力に抗してスイッチ方向へ移動させてスイッチを押圧することを特徴とするマイクロ波加熱装置である。
【００１０】
又、第二の手段は、第一の手段において、吸着部材と被吸着部材との吸着力は、扉をマイクロ波加熱装置本体にラッチ可能な強度であることを特徴とするマイクロ波加熱装置である。
【００１１】
又、第三の手段は、第一又は第二の手段において、吸着部材及び被吸着部材はマグネットであることを特徴とするマイクロ波加熱装置である。
【００１２】
又、第四の手段は、第一又は第二の手段において、吸着部材又は被吸着部材のいずれか一方はマグネットであり、他方はマグネットと吸着する磁性体であることを特徴とするマイクロ波加熱装置である。
【００１３】
又、第五の手段は、第一乃至第四の手段において、スイッチは支持部材に取り付けられ、スイッチバーと被吸着部材間に位置することを特徴とするマイクロ波加熱装置である。
【００１４】
以上のような本発明の解決手段により、マイクロ波加熱装置は扉や加熱装置本体に凹凸、突起、貫通孔といった使用の邪魔、且危険になる部材の設置がないので、安全、円滑に使用することが可能となり、又、清掃が容易となる。又、簡単な構成なので製造費が低廉且品質の安定化が図れる。更には扉の閉状態を確実に保つことが可能となると共に、扉が開状態の場合には必ず回路が開いて電磁波が発生することがない安全性を備えることとなる。
【００１５】
【発明の実施の形態】以下、本発明の実施の形態を図にしたがって説明する。図１は本発明一実施例のマイクロ波加熱装置の概略部分断面図であり、扉２が開いた状態を示したもので、図２は同様の図であり扉２が閉じた状態を示したものである。マイクロ波加熱装置は加熱室を有するマイクロ波加熱装置本体３（以下単に加熱装置本体３ということがある）と加熱室の開口部をふさぐ扉２、図示しないマイクロ波を発振させる回路（以下単に回路という）、回路と接続され扉の開閉状態を判断等するコンピュータ等を備えている。
【００１６】
マイクロ波加熱装置の扉２には吸着部材４、加熱装置本体３には支持部材６に移動可能に支持される可動部５と、マイクロ波加熱装置の電源回路を開閉するスイッチ８，８を備えている。吸着部材４は扉２が加熱装置本体３に枢支されている側端と反対側の側端部の加熱装置本体３側に、言い換えれば取手２１の裏側に吸着部材収納部７に収納されて固定されている。扉２及び加熱装置本体３、特に吸着部材４、可動部５を設置する近傍は非磁性材を用いている。
【００１７】
可動部５は吸着部材４と吸着しあう被吸着部材５１と、被吸着部材５１と軸５２により連結されたスイッチバー５３と、スイッチバー５３と支持部材６間に設けてスイッチバー５３をスイッチ８から離れる方向へ常時付勢する付勢部材５４を備えている。
【００１８】
吸着部材４と被吸着部材５１は夫々反対極性のマグネットを用いるが、いずれか一方にマグネットを用い、他方をマグネットと吸着可能な磁性体を用いることとしてもよい。
【００１９】
支持部材６は平板を上下に渡って三箇所略９０度に曲折して断面が一のＬ字の端部に他のＬ字の端部が当接する形状の非磁性のブラケットを用い、端部の片である基片６１に加熱装置本体３との結合用の孔６１１，６１１を設け、基片６１と平行の横片６２には軸５２を可動に挿通すると共に、被吸着部材５１、軸５２及びスイッチバー５３を支持する軸受孔６２１を設けている。
【００２０】
支持部材６は加熱装置本体３の加熱室開口周縁部であって、扉２を閉じた際に吸着部材４と対応する位置の裏面に基片６１を当接し、加熱装置本体３の該位置に溶接したボルト（図示せず）を孔６１１，６１１に挿入しナットにて固定設置する。軸５２は支持部材６の横片６２に設けた軸受孔６２１に挿通され、両端は支持部材６を挟んで扉２側に被吸着部材５１、加熱装置本体３の奥側にスイッチバー５３と溶接等により固定している。付勢部材５４はコイルスプリングを用い、スイッチバー５３と支持部材６間に軸５２を挿通させて設置している。
【００２１】
スイッチ８としては、回路に於いて扉２の開閉に連動して開閉し、通常使用時に回路に電流を流すと共にコンピュータがその状態により扉の開閉を判断するための主ドアスイッチ８１と、主ドアスイッチ８１が開状態にもかかわらず放電により回路が導通状態になった際に短絡回路を形成してヒューズを溶断し、回路に電流が流れるのを防止するためのドアショートスイッチ８２を備えている。主ドアスイッチ８１はスイッチボタン８１１を押すことにより回路を閉じ、開放することにより回路を開くマイクロスイッチを用い、ドアショートスイッチ８２はスイッチボタン８２１を押すことにより回路を開き、開放することにより回路を閉じるマイクロスイッチを用いている。又、両者のスイッチボタン８１１，８２１は内蔵されたスプリング等の第二の付勢部材によりスイッチバー５３方向へ常時付勢され、開放されている。
【００２２】
主ドアスイッチ８１及びドアショートスイッチ８２はスイッチバー５３と被吸着部材５１間に、スイッチボタン８１１，８２１をスイッチバー５３に対向させて支持部材６の縦片６３にビス等により固定設置する。以上のような構成のため、スイッチバー５３は付勢部材５４の付勢力により常時スイッチボタン８１１，８２１から離間した状態を保っている。
【００２３】
尚、吸着部材４及び／又は被吸着部材５１に用いるマグネットの数、大きさ、吸着力の強さ等を適宜調整し、両者の吸着力を扉２を加熱装置本体３に充分にラッチ可能な強さにすることにより本機構は扉２のラッチ機構ともなる。
【００２４】
又、本マイクロ波加熱装置の構成に於いて付勢部材としては付勢部材５４が用いられているが、付勢部材５４を備えずに、付勢部材としてスイッチ８に内蔵されたスプリング等の第二の付勢部材のみ備えることとしてもよい。
【００２５】
次にこのような構成を有するマイクロ波加熱装置の動作を説明する。先ず図１にあるような扉２が開いた状態である場合には、吸着部材４と被吸着部材５１間に距離ができて吸着力が働かず、被吸着部材５１は吸着部材４方向に移動することがなく、スイッチバー５３は付勢部材５４の付勢力によりスイッチボタン８１１，８２１から離間している。この状態ではスイッチボタン８１１，８２１が押されていないので、主ドアスイッチ８１は回路を開き、ドアショートスイッチ８２は短絡回路を閉じている。主ドアスイッチ８１の開状態により回路に電流が流れずにマイクロ波の発振がされず、この開状態はマイクロ波加熱装置に内蔵されたコンピュータに認識され、扉２が開状態であることを検知される。
【００２６】
次に、図２に示すような扉２が閉じた状態である場合には、被吸着部材５１が吸着部材４と吸着し合い、被吸着部材５１、軸５２及びスイッチバー５３が付勢部材５４の付勢力に抗して扉方向へ移動する。そして、スイッチバー５３がスイッチボタン８１１，８２１を押圧し、主ドアスイッチ８１は回路を閉じ、ドアショートスイッチ８２は短絡回路を開く。主ドアスイッチ８１の閉状態により回路に電流が流れてマイクロ波を発振することが可能となり、この閉状態はマイクロ波加熱装置に内蔵されたコンピュータに認識され、扉２が閉状態であることを検知される。尚、吸着部材４及び／又は被吸着部材５１の仕様によっては扉２は加熱装置本体３にラッチされた状態となる。
【００２７】
更に、万が一にも付勢部材５４が損傷等し、スイッチバー５３をスイッチ８から離れる方向へ常時付勢する機能を果たせなくなった場合でも、扉２が開いた場合には、吸着部材４と被吸着部材５１間に距離ができて吸着力が働かず、被吸着部材５１は吸着部材４方向に移動することがなく、スイッチバー５３はスイッチボタン８１１，８２１のスイッチバー５３方向への付勢力によりスイッチボタン８１１，８２１を押圧することは出来ない。従って、付勢部材５４がその機能を果たせなくなっても、扉２が開状態である時には必ず、主ドアスイッチ８１は回路を開き、ドアショートスイッチ８２は短絡回路を閉じ、主ドアスイッチ８１の開状態により回路に電流が流れてマイクロ波を発振することがなく、この開状態はマイクロ波加熱装置に内蔵されたコンピュータに認識され、扉２が閉状態であると誤検知されるという危険がない。
【００２８】
本実施例に於いては扉２は加熱装置本体３の側端部に回動自在に枢支された構成としているが、扉２を加熱装置本体３の上部或いは下部に回動自在に枢支して加熱室の開口部の下縁部或いは上縁部に可動部５、支持部材６、スイッチ８を設けると共に扉２の下部或いは上部に吸着部材４，４…を設けることとしてもよい。
【００２９】
【発明の効果】以上のような本発明によれば、扉や加熱装置本体に凹凸、突起、貫通孔といった使用の邪魔、且危険になる部材の設置がないので、安全、円滑に使用することが可能となり、又、清掃が容易となった。又、簡単な構成で製造費を低廉にし且品質の安定化を図ることが可能となった。更には扉の閉状態を確実に保つことが可能となった。又、扉が開状態の場合には必ず回路が開いて電磁波が発生することがない安全性を備えることが出来た。
【図面の簡単な説明】
【図１】本発明一実施例のマイクロ波加熱装置の扉開状態の概略部分断面図
【図２】本発明一実施例のマイクロ波加熱装置の扉閉状態の概略部分断面図
【図３】本発明一実施例支持部材及び可動部分側面図
【図４】本発明一実施例支持部材及び可動部部分の扉開状態の底面図
【図５】本発明一実施例支持部材及び可動部部分の扉閉状態の底面図
【符号の説明】
２    扉
３    マイクロ波加熱装置本体
４    吸着部材
５    可動部
５１  被吸着部材
５２  軸
５３  スイッチバー
５４  付勢部材
６    支持部材
８    スイッチ
【図１】
2004232957.tif 000003
【図２】
2004232957.tif 000004
【図３】
2004232957.tif 000005
【図４】
2004232957.tif 000006
【図５】
2004232957.tif 000007